(57)【特許請求の範囲】
【請求項１】
複数の放送からの放送信号を受信する受信部と、緊急放送に関する災害情報を表示する表示部と、受信した放送信号及び当該放送信号に含まれる緊急放送信号に基づいて音声出力する出力部とを備えた緊急放送用ラジオ受信機であって、前記緊急放送信号は、緊急放送を伝達する複数の放送に対応してそれぞれ設定され複数のＤＴＭＦ信号の組み合せからなるコード情報が送信されるようになっており、前記受信部に受信された放送信号に含まれるＤＴＭＦ信号を所定の時間内に前記コード情報に対応する所定数検出した場合に当該ＤＴＭＦ信号を保存する信号処理部と、前記信号処理部から得られた前記コード情報が所定回数入力された場合に規定数の当該コード情報が一致するか判定するコード入力処理部と、前記コード情報のうちＤＴＭＦ信号の所定の組み合せに対応して緊急放送を伝達する放送に関する設定情報及び表示する災害情報を記憶する記憶部と、前記コード入力処理部において一致すると判定された前記コード情報のうちＤＴＭＦ信号が所定の組み合せであるか否か判定するコード判定処理部と、ＤＴＭＦ信号が所定の組み合せであると判定された場合に当該組み合せに対応する災害情報を前記表示部に表示する表示処理部と、ＤＴＭＦ信号が所定の組み合せであると判定された場合に前記出力部から前記設定情報に対応して音声出力を行う出力処理部とを備えている緊急放送用ラジオ受信機。
【請求項２】
前記コード入力処理部は、入力された所定回数の前記コード情報のうち過半数の前記コード情報が一致するか判定する請求項１に記載の緊急放送用ラジオ受信機。
【請求項３】
前記コード情報には、特定情報に関するＤＴＭＦ信号の組み合せが含まれており、前記記憶部は、前記特定情報に関するＤＴＭＦ信号の所定の組み合せを記憶しており、前記コード判定処理部は、前記特定情報に関するＤＴＭＦ信号の組み合せが記憶された所定の組み合せと一致した場合に緊急放送を行うように制御する請求項１又は２に記載の緊急放送用ラジオ受信機。
【請求項４】
記憶された前記コード情報のＤＴＭＦ信号の組み合せを設定変更する操作処理部を備えている請求項１から３のいずれかに記載の緊急放送用ラジオ受信機。
【発明の詳細な説明】
【技術分野】
【０００１】
本発明は、防災又は災害に関する緊急放送を報知することができる緊急放送用ラジオ受信機に関する。
【背景技術】
【０００２】
国内では、地震、津波、台風、集中豪雨といった自然災害が毎年のように発生しているが、こうした災害に備えるために防災又は災害に関する情報を対象地域の住民に正確かつ迅速に提供することが要請されている。
【０００３】
こうした防災又は災害に関する情報の提供は、テレビジョン放送、ラジオ放送、防災行政無線を通して対象地域の住民に伝達されるようになっているが、深夜の時間帯では、受信機の電源が切られていると情報が伝達されずに災害への対応が遅れてしまう、といった課題がある。また、集中豪雨のように局所的に発生する災害の場合には、広域放送で情報提供することは、関係ない地域にも緊急性の高い情報が頻繁に提供されるようになってしまい、災害情報に対する住民の認識が低下していざという時の対応が遅れてしまうデメリットがある。
【０００４】
そのため、近年国内各地で開設されているコミュニティＦＭ放送を利用して災害情報を提供することが提案されている。例えば、特許文献１では、緊急放送を行う際に投入されるスイッチの動作に対応して所定のＤＴＭＦ信号（Ｄｕａｌ−Ｔｏｎｅ  Ｍｕｌｔｉ−Ｆｒｅｑｕｅｎｃｙ）を形成してＦＭ放送信号に含ませて放送し、ＦＭ放送受信機においてＦＭ放送に含まれる所定のＤＴＭＦ信号を検出すると、自動的に電源をオンして大音量で出力するようにした点が記載されている。また、特許文献２では、災害の発生により、緊急放送であることを示すＤＴＭＦ信号及びＥＷＳ信号の少なくとも一方がＦＭ放送の放送信号に含まれていた場合に受信機の電源を自動的にオンして緊急放送メッセージを大音量で出力する点が記載されている。また、特許文献３では、ラジオ放送信号に含まれるＤＴＭＦ信号を検出した後次のＤＴＭＦ信号が所定の時間内に検出された場合に検出されたＤＴＭＦ信号を保存し、保存された複数のＤＴＭＦ信号が所定の組み合せである場合に対応する災害情報を液晶表示パネル及びＬＥＤ表示器に表示するとともにスピーカから音声出力を行う緊急放送用ラジオ受信機が記載されている。
【先行技術文献】
【特許文献】
【０００５】
【特許文献１】登録実用新案第３１１８１８８号公報
【特許文献２】特開２００９−２３２２４７号公報
【特許文献３】特開２０１２−１８２６８６号公報
【発明の概要】
【発明が解決しようとする課題】
【０００６】
上述した特許文献１及び２のように、所定のＤＴＭＦ信号を検出して緊急放送を放送する場合、放送信号にＤＴＭＦ信号に類似する信号が生じて誤作動する課題があった。そのため、特許文献３では、複数のＤＴＭＦ信号の所定の組み合せに基づいて対応する緊急放送を放送することで、こうした誤作動を解決することが可能となった。
【０００７】
しかしながら、緊急放送用ラジオ受信機を各家庭に設置して試行運用を行ったところ、ＤＴＭＦ信号からなる緊急放送信号を送信していないにもかかわらず緊急放送が放送される誤作動が発生することがあった。こうした誤作動の原因を分析したところ、雷サージに伴って発生するノイズにＤＴＭＦ信号に類似する信号が存在することが確認された。災害情報といった緊急放送が必要となる状況では、周辺に雷が多発している気象条件であることが多く、緊急放送が必要な地域に的確に放送されないと、社会的な混乱を招くとともに緊急放送の信頼性を損なうことになるので、緊急放送の誤作動は確実に防止するようにしなければならない。
【０００８】
そこで、本発明は、雷サージ等のノイズの影響を受けることなく放送信号を用いて緊急放送を的確に伝達することができるとともに誤作動のない信頼性の高い緊急放送用ラジオ受信機を提供することを目的とするものである。
【課題を解決するための手段】
【０００９】
本発明に係る緊急放送用ラジオ受信機は、複数の放送からの放送信号を受信する受信部と、緊急放送に関する災害情報を表示する表示部と、受信した放送信号及び当該放送信号に含まれる緊急放送信号に基づいて音声出力する出力部とを備えた緊急放送用ラジオ受信機であって、前記緊急放送信号は、緊急放送を伝達する複数の放送に対応してそれぞれ設定され複数のＤＴＭＦ信号の組み合せからなるコード情報が送信されるようになっており、前記受信部に受信された放送信号に含まれるＤＴＭＦ信号を所定の時間内に前記コード情報に対応する所定数検出した場合に当該ＤＴＭＦ信号を保存する信号処理部と、前記信号処理部から得られた前記コード情報が所定回数入力された場合に規定数の当該コード情報が一致するか判定するコード入力処理部と、前記コード情報のうちＤＴＭＦ信号の所定の組み合せに対応して緊急放送を伝達する放送に関する設定情報及び表示する災害情報を記憶する記憶部と、前記コード入力処理部において一致すると判定された前記コード情報のうちＤＴＭＦ信号が所定の組み合せであるか否か判定するコード判定処理部と、ＤＴＭＦ信号が所定の組み合せであると判定された場合に当該組み合せに対応する災害情報を前記表示部に表示する表示処理部と、ＤＴＭＦ信号が所定の組み合せであると判定された場合に前記出力部から前記設定情報に対応して音声出力を行う出力処理部とを備えている。さらに、前記コード入力処理部は、入力された所定回数の前記コード情報のうち過半数の前記コード情報が一致するか判定する。さらに、前記コード情報には、特定情報に関するＤＴＭＦ信号の組み合せが含まれており、前記記憶部は、前記特定情報に関するＤＴＭＦ信号の所定の組み合せを記憶しており、前記コード判定処理部は、前記特定情報に関するＤＴＭＦ信号の組み合せが記憶された所定の組み合せと一致した場合に緊急放送を行うように制御する。さらに、記憶された前記コード情報のＤＴＭＦ信号の組み合せを設定変更する操作処理部を備えている。
【発明の効果】
【００１０】
本発明は、上記のような構成を備えることで、所定回数送信された緊急放送信号に対して、緊急放送信号に対応する所定数のＤＴＭＦ信号の組み合せからなるコード情報が所定回数入力された場合に規定数のコード情報が一致するか判定し、一致すると判定されたコード情報に基づいて緊急放送を行うようにしているので、雷サージ等のノイズの影響を受けることなく放送信号を用いて緊急放送を的確に伝達することができる。
【図面の簡単な説明】
【００１１】
【図１】本発明に係る実施形態に関する外観斜視図である。
【図２】緊急放送用ラジオ受信機の制御処理に関するブロック構成図である。
【図３】ＤＴＭＦ信号の組み合せ及び表示文字の対応関係を示す表である。
【図４】緊急放送信号に対応する複数のＤＴＭＦ信号を組み合せたコード情報に関する説明図である。
【図５】ＤＴＭＦ信号の検出処理に関する処理フローである。
【図６】割り込み処理に関する処理フローである。
【図７】緊急放送処理に関する処理フローである。
【図８】緊急放送処理に関する処理フローである。
【発明を実施するための形態】
【００１２】
以下、本発明を添付図面に示す実施形態に基づいて詳しく説明する。図１は、本発明に係る実施形態に関する一例を示す外観斜視図である。この例では、緊急放送用ラジオ受信機１は、前面に音声を出力するスピーカ２、時刻、周波数等の設定の表示や緊急放送の内容を文字表示する表示パネル３、複数の異なる色を発光するＬＥＤ素子を備え緊急放送の内容を光の色で表示するＬＥＤ表示器４、緊急放送を手動で受信するように設定する受信ボタン５、ラジオ受信機１の電源をオン・オフする電源ボタン６が設けられている。また、緊急放送用ラジオ受信機１の上面には、ＡＭ放送、ＦＭ放送、マルチメディア放送等の受信可能な放送の選局用ツマミ７及び音量調整用ツマミ８が設けられており、側面には、照明用のＬＥＤライト９及び手回し用ハンドルを備えた手動の発電機１０が設けられている。
【００１３】
図示されていないが、緊急放送用ラジオ受信機１の背面には、商用電源に接続するコンセント及び電源コード、外部アンテナと接続するためのアンテナ用接続端子、携帯電話充電用プラグが収納されている。また、緊急放送用ラジオ受信機１は、蓄電池を内蔵しており、商用電源接続時や発電機１０による発電時には、蓄電池が充電されるようになっている。
【００１４】
緊急放送用ラジオ受信機１は、こうした構成を備えているので、住宅内で使用する場合には選局用ツマミ７及び音量調整用ツマミ８を操作して通常のラジオ受信機として使用することができ、災害が発生した場合には緊急放送を受信して確実にその内容を伝達するとともに、避難する際には持ち出して避難所で緊急放送を聞くことができる。停電や屋外での使用の場合にも発電機により蓄電池に充電しながら継続使用が可能で、携帯電話への充電にも使用することができる。
【００１５】
また、緊急放送信号は、同じ信号が所定回数送信されるようになっており、送信された所定回数の信号を受信して規定数の信号が一致した場合に、送信された緊急放送信号であると判定して緊急放送を行うようにしているので、雷サージ等のノイズの影響を極力抑えることが可能となっている。
【００１６】
図２は、緊急放送用ラジオ受信機１の制御処理に関するブロック構成図である。緊急放送用ラジオ受信機１は、装置全体の制御処理を行う制御部２０、制御処理に必要なプログラム及びデータを記憶する記憶部２１、ＡＭ放送、ＦＭ放送、テレビジョン放送、マルチメディア放送といった受信可能な放送信号を受信する受信部２２、放送信号を受信する受信部２２からの受信信号を処理してその中に含まれるＤＴＭＦ信号を検出する信号処理部２３、受信した放送信号を増幅してスピーカ２に出力する増幅部２４、受信ボタン５、電源ボタン６、選局用ツマミ７及び音量調整用ツマミ８等の操作信号を制御部２０に出力する操作部２５、制御部２０からの制御信号に基づいてＬＥＤ表示器４を発光させるＬＥＤ表示部２６、並びに、制御部２０からの制御信号に基づいて表示パネル３の表示を行うパネル表示部２７を備えている。この例では、スピーカ２及び増幅部２４が出力部に相当する。
【００１７】
制御部２０は、操作部２５から入力される操作信号に基づいて操作処理を行う操作処理部２０１、検出された複数のＤＴＭＦ信号の組み合せからなるコード情報が所定回数入力されたか判定するとともに入力されたコード情報のうち規定数のコード情報が一致するか判定するコード入力処理部２０２、規定数が一致すると判定されたコード情報のうちＤＴＭＦ信号の組み合せを判定するコード判定処理部２０３、判定されたコード情報のＤＴＭＦ信号の組み合せに基づいてＬＥＤ表示部２６及びパネル表示部２７の表示制御を行う表示処理部２０４、操作部２５からの操作信号及び判定されたコード情報のＤＴＭＦ信号の組み合せに基づいてスピーカ２に所望の放送を音声出力するように受信部２２を制御する出力処理部２０５を備えている。そして、制御部２０は、電源ボタン６がオフに設定されている場合でも、緊急放送信号を受信して自動的に緊急放送を出力可能なスタンバイ状態に設定する。
【００１８】
記憶部２１は、複数のＤＴＭＦ信号の組み合せからなるコード情報に関するテーブルを記憶している。例えば、緊急放送を伝達する複数の放送信号におけるそれぞれの緊急放送信号として設定されたコード情報中のＤＴＭＦ信号の特定の組み合せを関連付けて記憶し、対象地域及び災害情報といった緊急放送の内容に関する情報に対応するコード情報中のＤＴＭＦ信号の特定の組み合せを表示情報と関連付けて記憶している。例えば、ラジオ受信機を設置する所在地（都道府県、市町村）及び属性（病院、学校等の公共施設、高齢者、要支援者等の対象者）に対応する特定情報を記憶部２１に記憶させておくことで、特定情報に合わせてきめ細かく災害情報を伝達することが可能となる。
【００１９】
受信部２２は、３つのチューナ２２ａ、２２ｂ及び２２ｃを備えており、チューナ２２ａ及び２２ｂは、それぞれ緊急放送信号を伝達する放送信号を常時受信するように設定された検出用チューナであり、チューナ２２ｃは、受信する放送信号を任意に設定可能で受信した放送の音量についても調整可能な設定用チューナである。チューナ２２ａ及び２２ｂについては、出力処理部２０５により予め所定の放送の周波数に設定される。例えば、チューナ２２ａは、緊急放送信号が送信されるコミュニティＦＭ放送の周波数に設定され、チューナ２２ｂは緊急放送信号が送信される県域のＦＭ放送の周波数に設定される。このように、受信部２２は、受信する放送信号を任意に設定する機能とともに緊急放送信号を伝達する放送信号を常時受信する機能を備えている。したがって、複数種類の放送のいずれかで緊急放送信号が送信された場合でも確実に緊急放送信号を受信することができる。
【００２０】
信号処理部２３は、放送信号を受信する受信部２２からの受信信号に含まれるＤＴＭＦ信号を検出し、所定時間内に所定数のＤＴＭＦ信号を検出した場合に検出した所定数のＤＴＭＦ信号を保存する。ＤＴＭＦ信号の検出は、緊急放送信号を受信するように設定された検出用チューナであるチューナ２２ａ及び２２ｂで受信された放送信号に対して行われ、チューナ２２ａにはＤＴＭＦ信号を検出するデコーダ２３ａが接続され、チューナ２２ｂにはＤＴＭＦ信号を検出するデコーダ２３ｂが接続されている。
【００２１】
そして、デコーダ２３ａ及び２３ｂにおいて検出されて保存されたＤＴＭＦ信号は、コード入力処理部２０２に送信されて複数のＤＴＭＦ信号の組み合せからなるコード情報の入力回数及び入力されたコード情報の一致数について判定される。
【００２２】
この例では、デコーダ２３ａ又は２３ｂに１２個のＤＴＭＦ信号が保存された場合に、その組み合せのデータをコード入力処理部２０２に送信する。なお、ＤＴＭＦ信号の組み合せの数は、必要に応じて適宜設定することができ、１２個以外の数に設定してもよい。
【００２３】
ＤＴＭＦ信号は、図３に示すように、ＣＣＩＴＴ（国際電信電話諮問委員会）の勧告により２つの組み合せで定められており、電話機のプッシュボタンに対応して音声帯域内の４周波数で構成される高群及び低群からそれぞれ選択された２つの周波数を組み合せて１つのＤＴＭＦ信号とされている。そして、ＤＴＭＦ信号は、高群及び低群のそれぞれ４種類の周波数の組み合せに対応して０〜９までの数字と＊、＃、Ａ〜Ｄまでの記号の計１６種類の符号が付与されている。こうしたＤＴＭＦ信号を複数個組み合わせることで、個別に識別可能な多数の信号を作成することができる。
【００２４】
図４は、緊急放送信号に対応する複数のＤＴＭＦ信号を組み合せたコード情報に関する一例を示している。この例では、１２個の一連のＤＴＭＦ信号に基づいて１２桁の符号からなるコード情報が得られる。そして、最初の１桁目が開始キーで、最後の１２桁目が終了キーに設定されている。２〜６桁が緊急放送の対象となる自治体に関する情報で、都道府県及び市町村に対応する情報が設定されている。７〜９桁が対象となる地区及び対象者（病院、学校等の公共施設、要支援者、高齢者等）について設定するようになっており、緊急放送の内容に基づいてきめ細かく指定することができるようになっている。１０〜１１桁がラジオ受信機の音量制御及び起動制御等の制御に関する情報を設定するようになっている。
【００２５】
操作処理部２０１では、記憶部２１に記憶された特定情報をボタン操作により設定変更するように処理する。例えば、電源オフの状態において所定のボタン操作により設定変更モードにして特定情報を設置する場所に応じてボタン操作により簡単に変更することが可能となる。また、チューナの周波数設定を行う場合には、予め設けられたプリセットボタンを操作することで、周波数設定するように処理する。例えば、プリセットボタンを所定時間継続して押下した場合には、受信中の周波数をそのプリセットボタンの周波数に設定する処理を行うことで、プリセットボタンの周波数を簡単に設定することが可能となる。
【００２６】
コード入力処理部２０２では、信号処理部２３から送信された複数のＤＴＭＦ信号の組み合せからなるコード情報を取得し、入力されたコード情報の回数をカウントして所定回数入力されたか判定する。こうしたコード情報に対応する一連のＤＴＭＦ信号は、緊急放送信号として同じ信号が所定回数送信されるようになっており、そのため、所定回数のコード情報が入力されたか判定することで、緊急放送信号であるか判定することができる。したがって、雷サージ等のノイズの影響により一連のＤＴＭＦ信号が検出されたとしても所定回数検出されない限りは緊急放送信号として処理されなくなり、ノイズによる誤動作を確実に防止することが可能となる。
【００２７】
また、コード入力処理部２０２では、所定回数入力されたコード情報のうち規定数のコード情報が一致するか判定する。所定回数送信された同じ信号がノイズにより一部異なる信号となった場合でも、所定回数のうち規定数のコード情報が一致した場合に送信された緊急放送信号であると判定すれば、送信された緊急放送信号の内容をコード情報としてほぼ正確に受信することができる。設定する規定数としては、所定回数のうちの過半数に設定することが好ましく、具体的には、緊急放送信号として同じコード情報を３回以上送信するようにし、受信したコード情報のうち過半数（３回の場合には２個）が一致すると判定されたコード情報を緊急放送信号として処理することができる。
【００２８】
コード判定処理部２０３では、コード入力処理部２０２から送信された規定数が一致すると判定されたコード情報に基づいて記憶部２１に記憶されたコード情報中のＤＴＭＦ信号の組み合せであるか否か判定し、記憶された組み合せである場合に表示処理部２０４及び出力処理部２０５に組み合せのデータに基づく制御を行わせるようにしている。
【００２９】
例えば、コード情報中のＤＴＭＦ信号の組み合せが予め設定された放送の開始キーに該当すると判定したときには、判定結果を表示処理部２０４及び出力処理部２０５に送信する。そして、表示処理部２０４は、ＬＥＤ表示部２６を赤色で点滅するように発光制御し、出力処理部２０５は設定用チューナであるチューナ２２ｃを設定された放送の周波数に切り換えるように制御するとともにスピーカ２からの音量を大きくなるように制御する。
【００３０】
また、コード情報中のＤＴＭＦ信号の組み合せが対象地域や災害情報といった緊急放送に関する内容に対応すると判定したときは、表示処理部２０４に判定結果を送信する。そして、表示処理部２０４は、対応する文字情報をパネル表示部２７に表示するように制御する。
【００３１】
コード情報中のＤＴＭＦ信号の組み合せが予め設定された放送の終了キーに該当すると判定したときには、判定結果を表示処理部２０４及び出力処理部２０５に送信する。そして、表示処理部２０４は、点滅表示を停止するようにＬＥＤ表示部２６を制御するとともに文字情報の表示を停止するようにパネル表示部２７を制御する。また、出力処理部２０５は、緊急放送開始前の放送の周波数に戻すように制御するとともにスピーカ２からの音量を緊急放送開始前の大きさに戻すように制御する。
【００３２】
また、コード判定処理部２０３は、緊急放送を開始した放送中に別の放送の緊急放送信号に対応するコード情報が入力されたと判定したときには、そのコード情報中の開始キーに基づいて表示処理部２０４及び出力処理部２０５に対して別の放送の緊急放送に切り換えるように制御する。そして、コード情報中の緊急放送の内容に関する制御情報に基づいて表示処理部２０４に対して表示制御を行い、コード情報中の終了キーに基づいて表示処理部２０４及び出力処理部２０５に対して停止制御を行う。
【００３３】
そのため、複数の放送から伝達される緊急放送が重なった場合でも常に最新の緊急放送が伝達されるようになる。例えば、コミュニティＦＭ放送から狭い対象地域の災害情報の第一報に関する緊急放送があった場合に、その放送中に県域ＦＭ放送から広域の対象地域の災害情報に関する緊急放送がある場合でも確実に緊急放送を伝達することができる。そのままコミュニティＦＭ放送の緊急放送を聞きたい場合には、受信ボタン５を操作することで、手動で緊急放送を伝達する複数の放送に順次切り換えて、コミュニティＦＭ放送に設定することができる。
【００３４】
図５は、緊急放送信号として放送されるＤＴＭＦ信号の検出処理及びコード情報の入力処理に関する処理フローである。まず、緊急放送信号を受信するために、使用地域の設定データ等を入力する初期設定を行い（Ｓ１００）、検出のための割り込み処理のタイミングを設定する（Ｓ１０１）。割り込み処理のタイミングは、例えば、０．１２５秒、０．２５秒、０．５秒、１秒といった検出間隔で割り込み処理を行うように設定すればよい。そして、割り込み処理の回数をカウントすることで、検出間隔を所定時間に設定することができ、所定時間内にＤＴＭＦ信号の検出の有無を判定することが可能となる。
【００３５】
割り込み処理の設定後、緊急放送開始信号となるＤＴＭＦ信号が送信されたかチェックし（Ｓ１０２）、ＤＴＭＦ信号の送信が検出された場合（Ｓ１０２−ＹＥＳ）にＤＴＭＦ信号の入力回数Ｎが１２未満であるかチェックする（Ｓ１０３）。ＤＴＭＦ信号の送信が検出されない場合（Ｓ１０２−ＮＯ）には、繰り返し送信の有無について検出を行う。信号入力回数Ｎが１２未満の場合（Ｓ１０３−ＹＥＳ）には、検出されたＤＴＭＦ信号を保存し（Ｓ１０４）、信号入力回数Ｎに１を加算するカウントアップを行う（Ｓ１０５）。
【００３６】
そして、割り込み回数Ｗをリセットし（Ｓ１０６）、タイムアウトが許可されているかチェックする（Ｓ１０７）。タイムアウトが許可されていない場合（Ｓ１０７−ＮＯ）には、ステップＳ１０２に戻り、ＤＴＭＦ信号の送信があるかチェックする。ステップＳ１０７でタイムアウトが許可されている場合（Ｓ１０７−ＹＥＳ）には、信号入力回数Ｎをリセットする（Ｓ１０８）とともにコード入力回数Ｃをリセットし（Ｓ１０９）、ステップＳ１０２に戻り、ＤＴＭＦ信号の送信があるかチェックする。
【００３７】
ステップＳ１０３で入力回数Ｎが１２以上である場合（Ｓ１０３−ＮＯ）には、保存されたＤＴＭＦ信号の組み合せをコード情報として保存し、コード入力回数Ｃが３未満であるかチェックする（Ｓ１１０）。この例では、コード情報が入力される所定回数を３に設定しているので、コード入力回数Ｃが３未満である場合（Ｓ１１０−ＹＥＳ）には、入力回数Ｃに１を加算するカウントアップを行い（Ｓ１１１）、信号入力回数Ｎをリセットして（Ｓ１１２）ステップＳ１０６に進む。
【００３８】
コード入力回数Ｃが３以上である場合（Ｓ１１０−ＮＯ）には、保存された３個のコード情報のうち規定数のコード情報が一致するか判定する。この例では、規定数として過半数の２個のコード情報が一致するか判定し（Ｓ１１３）、２個のコード情報が一致する場合（Ｓ１１３−ＹＥＳ）には、後述する緊急放送処理に進む（Ｓ１１４）。そして、信号入力回数Ｎをリセットする（Ｓ１１５）とともにコード入力回数Ｃをリセットする（Ｓ１１６）。次に、割り込み回数Ｗをリセットし（Ｓ１１７）、ステップＳ１０２に戻り、ＤＴＭＦ信号の送信があるかチェックする。２個のコード情報が一致しない場合（Ｓ１１３−ＮＯ）には、緊急放送処理を行わずにステップＳ１１５に進む。なお、ＤＴＭＦ信号の入力回数Ｎについては、１２以外の回数に設定することができ、またコード情報の入力回数Ｃについても、３以上に設定することができる。例えば、コード入力回数Ｃを５以上に設定して規定数を過半数の３以上に設定し、規定数のコード情報が一致するか判定するように設定することも可能である。規定数は、雷サージ等のノイズの影響を確実に除去することが可能であれば、２以上でコード入力回数の半数又はそれ以下に設定してもよく、例えば、入力回数が４の場合に規定数を２に設定したり、入力回数が５の場合に規定数を２に設定することもできる。
【００３９】
図６は、割り込み処理に関する処理フローである。まず、設定されたタイミングで割り込み処理が行われて（Ｓ２００）、図５に示す検出処理が行われるようになるが、割り込み処理が行われると割り込み回数Ｗに１を加算するカウントアップが行われる（Ｓ２０１）。そして、割り込み回数Ｗが所定の回数Ｔ以上であるかチェックし（Ｓ２０２）、所定の回数以上である場合（Ｓ２０２−ＹＥＳ）にタイムアウトを許可する設定を行い（Ｓ２０３）、終了する。ステップＳ２０２において割り込み回数Ｗが所定の回数Ｔより小さい場合には、タイムアウトを許可する設定を行うことなく終了する。
【００４０】
以上の処理を行うことで、割り込み処理を行う毎にＤＴＭＦ信号の検出が行われ、ＤＴＭＦ信号が検出された場合には、ＤＴＭＦ信号を保存していき、入力回数Ｎが１２以上−すなわち１２個のＤＴＭＦ信号が保存された場合にコード情報として保存するようになる。そして、ＤＴＭＦ信号を検出してから次のＤＴＭＦ信号を検出するまでの間に割り込み回数Ｗが所定の回数Ｔ以上となる場合には、割り込み処理の設定タイミングと所定の回数Ｔで設定された時間内に３個のコード情報が検出されなかったものとしてタイムアウトを許可するように設定する。緊急放送では、予め３個の同じコード情報が放送されるように設定されているため、３個のコード情報が検出されない限り緊急放送に進むことがなくなり、緊急放送の誤動作を防止することができる。また、３個のコード情報が検出された場合でも過半数の２個のコード情報が一致しない限り緊急放送処理に進むことがないので、雷サージ等のノイズによりコード情報が誤って検出された場合でも同じコード情報が繰り返し検出されることはない。そのため、ノイズの影響を確実に除去することが可能となり、緊急放送を必要な地域に正確に伝達することができる。
【００４１】
図７及び図８は、緊急放送処理に関する処理フローである。まず、上述したコード入力処理により得られたコード情報の判定処理を行う（Ｓ３００）。判定処理では、得られたコード情報のうちＤＴＭＦ信号の組み合せが予め記憶された所定の組み合せと一致するか判定する。例えば、コード情報のうち開始キー、自治体情報及び地域情報等の特定情報が記憶された組み合せと一致するか判定することで、そのラジオ受信機の設置場所に対応する緊急放送であるか判定することができる。ＤＴＭＦ信号の組み合せが設置場所等の特定情報に関するいずれかの放送の緊急放送信号に対応するコード情報であるかチェックする（Ｓ３０１）。この例では、緊急放送を伝達する放送としてコミュニティＦＭ放送及び県域ＦＭ放送が設定されており、例えば、コード情報の開始キーによっていずれの放送からの緊急放送信号であるか判定される。設置場所等の特定情報に関する緊急放送信号に対応するコード情報でない場合には（Ｓ３０１−ＮＯ）、そのまま終了する。
【００４２】
緊急放送信号に対応するコード情報である場合には（Ｓ３０１−ＹＥＳ）、コミュニティＦＭ放送に対応するコード情報であるかチェックし（Ｓ３０２）、コミュニティＦＭ放送に対応する場合には（Ｓ３０２−ＹＥＳ）、ラジオ受信機の電源がオンされているかチェックする（Ｓ３０３）。緊急放送信号に対応するコード情報がコミュニティＦＭ放送に対応するものでない場合には（Ｓ３０２−ＮＯ）、図８のステップＳ３１８に進む。
【００４３】
電源がオンされている場合には（Ｓ３０３−ＹＥＳ）、チューナ２２ｃをコミュニティＦＭ放送の周波数に設定するように切換処理を行う（Ｓ３０４）。そして、コード情報のうち制御情報に関するＤＴＭＦ信号の組み合せに基づいて表示パネル３の文字表示及びＬＥＤ表示器４の発光表示を行い（Ｓ３０５）、スピーカ２から所定の大きい音量で音声出力処理を行う（Ｓ３０６）。
【００４４】
次に、表示処理後に得られたコード情報の判定処理を行い（Ｓ３０７）、コード情報が県域ＦＭ放送の緊急放送信号に対応するものであるかチェックする（Ｓ３０８）。県域ＦＭ放送に対応するコード情報である場合には（Ｓ３０８−ＹＥＳ）、図８のステップＳ３１９に進む。県域ＦＭ放送に対応するコード情報でない場合には（Ｓ３０８−ＮＯ）、コード情報の終了キーに基づいて緊急放送を停止するかチェックし（Ｓ３０９）、緊急放送を停止する場合には（Ｓ３０９−ＹＥＳ）、表示パネル３の文字表示及びＬＥＤ表示器４の発光表示を非表示処理して緊急放送前の放送の周波数及び音量に戻す切換処理を行う（Ｓ３１０）。緊急放送を停止しない場合には（Ｓ３０９−ＮＯ）、ステップＳ３０５に戻り、緊急放送を伝達する放送を継続して出力する。
【００４５】
ステップＳ３０３において電源がオフの場合には（Ｓ３０３−ＮＯ）、電源を自動的にオンに設定した（Ｓ３１１）後、緊急放送信号に対応するコミュニティＦＭ放送の周波数に設定する選局処理を行う（Ｓ３１２）。そして、コード情報のうち制御情報に関するＤＴＭＦ信号の組み合せに基づいて表示パネル３の文字表示及びＬＥＤ表示器４の発光表示を行い（Ｓ３１３）、スピーカ２から所定の大きい音量で音声出力処理を行う（Ｓ３１４）。
【００４６】
次に、表示処理後に得られたコード情報の判定処理を行い（Ｓ３１５）、コード情報が県域ＦＭ放送の緊急放送信号に対応するものであるかチェックする（Ｓ３１６）。県域ＦＭ放送に対応するコード情報である場合には（Ｓ３１６−ＹＥＳ）、図８のステップＳ３１９に進む。県域ＦＭ放送に対応するコード情報でない場合には（Ｓ３１６−ＮＯ）、コード情報の終了キーに基づいて緊急放送を停止するかチェックし（Ｓ３１７）、緊急放送を停止する場合には（Ｓ３１７−ＹＥＳ）、表示パネル３の文字表示及びＬＥＤ表示器４の発光表示を非表示処理して緊急放送前のスタンバイ状態に設定する停止処理を行う（Ｓ３１８）。緊急放送を停止しない場合には（Ｓ３１７−ＮＯ）、ステップＳ３１３に戻り、緊急放送を伝達する放送を継続して出力する。
【００４７】
ステップＳ３０２において緊急放送信号がコミュニティＦＭ放送に対応するコード情報でない場合には（Ｓ３０２−ＮＯ）、県域ＦＭ放送に対応するコード情報であるかチェックし（Ｓ３１９）、県域ＦＭ放送に対応する場合には（Ｓ３１９−ＹＥＳ）、ラジオ受信機の電源がオンされているかチェックする（Ｓ３２０）。緊急放送信号が県域ＦＭ放送に対応するコード情報でない場合には（Ｓ３１９−ＮＯ）、そのまま終了する。
【００４８】
電源がオンされている場合には（Ｓ３２０−ＹＥＳ）、チューナ２２ｃを県域ＦＭ放送の周波数に設定するように切換処理を行う（Ｓ３２１）。そして、コード情報のうち制御情報に関するＤＴＭＦ信号の組み合せに基づいて表示パネル３の文字表示及びＬＥＤ表示器４の発光表示を行い（Ｓ３２２）、スピーカ２から所定の大きい音量で音声出力処理を行う（Ｓ３２３）。
【００４９】
次に、表示処理後に得られたコード情報の判定処理を行い（Ｓ３２４）、コード情報がコミュニティＦＭ放送の緊急放送信号に対応するものであるかチェックする（Ｓ３２５）。コミュニティＦＭ放送に対応するコード情報である場合には（Ｓ３２５−ＹＥＳ）、図７のステップＳ３０３に進む。コミュニティＦＭ放送に対応するコード情報でない場合には（Ｓ３２５−ＮＯ）、コード情報の終了キーに基づいて緊急放送を停止するかチェックし（Ｓ３２６）、緊急放送を停止する場合には（Ｓ３２６−ＹＥＳ）、表示パネル３の文字表示及びＬＥＤ表示器４の発光表示を非表示処理して緊急放送前の放送の周波数及び音量に戻す切換処理を行う（Ｓ３２７）。緊急放送を停止しない場合には（Ｓ３２６−ＮＯ）、ステップＳ３２２に戻り、緊急放送を伝達する放送を継続して出力する。
【００５０】
ステップＳ３２０において電源がオフの場合には（Ｓ３２０−ＮＯ）、電源を自動的にオンに設定した（Ｓ３２８）後、緊急放送信号に対応する県域ＦＭ放送の選局処理を行う（Ｓ３２９）。そして、コード情報のうち制御情報に関するＤＴＭＦ信号の組み合せに基づいて表示パネル３の文字表示及びＬＥＤ表示器４の発光表示を行い（Ｓ３３０）、スピーカ２から所定の大きい音量で音声出力処理を行う（Ｓ３３１）。
【００５１】
次に、表示処理後に得られたコード情報の判定処理を行い（Ｓ３３２）、コード情報がコミュニティＦＭ放送の緊急放送信号に対応する組み合せであるかチェックする（Ｓ３３３）。コミュニティＦＭ放送に対応するコード情報である場合には（Ｓ３３３−ＹＥＳ）、図７のステップＳ３０３に進む。コミュニティＦＭ放送に対応するコード情報でない場合には（Ｓ３３３−ＮＯ）、コード情報の終了キーに基づいて緊急放送を停止するかチェックし（Ｓ３３４）、緊急放送を停止する場合には（Ｓ３３４−ＹＥＳ）、表示パネル３の文字表示及びＬＥＤ表示器４の発光表示を非表示処理して緊急放送前のスタンバイ状態に設定する停止処理を行う（Ｓ３３５）。緊急放送を停止しない場合には（Ｓ３３４−ＮＯ）、ステップＳ３３０に戻り、緊急放送を伝達する放送を継続して出力する。
【００５２】
以上のように処理することで、スタンバイ状態で電源がオンされた場合には、通常の任意受信状態（操作ツマミにより設定可能な状態）で起動するようになるが、任意受信状態で緊急放送信号を受信した場合には、判定されたコード情報に対応する放送に自動的に切り換えて緊急放送を大音量で出力するとともに表示パネルの文字表示及びＬＥＤ表示器の発光表示を行って利用者の注意を喚起する。電源がオフとなったスタンバイ状態で緊急放送信号を受信した場合にも、判定されたコード情報に基づいて自動的に起動して対応する放送を受信し、緊急放送を大音量で出力するとともに表示パネルの文字表示及びＬＥＤ表示器の発光表示を行うようになる。
【００５３】
そして、電源がオンの状態で自動的に起動された緊急放送は、判定されたコード情報に基づいて自動的に停止して、緊急放送前に設定されていた放送に戻される。電源がオフの状態で自動的に起動された緊急放送は、判定されたコード情報に基づいて自動的に停止して緊急放送前のスタンバイ状態に戻される。
【００５４】
また、緊急放送中に別の放送の緊急放送信号を受信したい場合には、送信された緊急放送信号をリアルタイムで判定し、得られたコード情報に基づいて別の放送の緊急放送に自動的に切り換えて常時最新の情報が伝達されるように設定されている。
【符号の説明】
【００５５】
１・・・緊急放送用ラジオ受信機、２・・・スピーカ、３・・・表示パネル、４・・・ＬＥＤ表示器、５・・・受信ボタン、６・・・電源ボタン、７・・・選局用ツマミ、８・・・音量調整用ツマミ、９・・・ＬＥＤライト、１０・・・発電機、２０・・・制御部、２１・・・記憶部、２２・・・受信部、２３・・・信号処理部、２４・・・増幅部、２５・・・操作部、２６・・・ＬＥＤ表示器、２７・・・パネル表示部
【図１】
0006449623.tif 000002
【図２】
0006449623.tif 000003
【図３】
0006449623.tif 000004
【図４】
0006449623.tif 000005
【図５】
0006449623.tif 000006
【図６】
0006449623.tif 000007
【図７】
0006449623.tif 000008
【図８】
0006449623.tif 000009